(57)【要約】【課題】  本発明は、衝撃による化粧用ミラー板の撓みを抑制し、化粧用ミラーの破損を確実に防止する車両用サンバイザを提供する。【解決手段】  サンバイザ本体に化粧用ミラーを備える車両用サンバイザであって、化粧用ミラーを保持する枠体を有するミラーユニットと、サンバイザ本体に設けられたミラーユニットを収容する凹部と、凹部の底面に、ミラーユニットの枠体に保持された化粧用ミラーの裏面と対向する位置に設けられ、サンバイザ本体の変形または化粧用ミラーの変位により該化粧用ミラーの裏面に面接触する複数の隆起部と、を備え、複数の隆起部は発泡体樹脂で形成され、サンバイザ本体の長手方向に並列して配置されていることを特徴とする車両用サンバイザ。【選択図】  図３
2010179793.tif 000002
【特許請求の範囲】
【請求項１】
サンバイザ本体に化粧用ミラーを備える車両用サンバイザであって、
前記化粧用ミラーを保持する枠体を有するミラーユニットと、
前記サンバイザ本体に設けられた前記ミラーユニットを収容する凹部と、
前記凹部の底面に、前記ミラーユニットの枠体に保持された化粧用ミラーの裏面と対向する位置に設けられ、前記サンバイザ本体の変形または前記化粧用ミラーの変位により該化粧用ミラーの裏面に面接触する複数の隆起部と、を備え、
前記複数の隆起部は発泡体樹脂で形成され、前記サンバイザ本体の長手方向に並列して配置されていることを特徴とする車両用サンバイザ。
【請求項２】
前記隆起部は、
前記化粧用ミラーの裏面との間に所定の隙間を持って配置されていることを特徴とする請求項１に記載の車両用サンバイザ。
【請求項３】
前記隆起部は、
前記化粧用ミラーの端から内側方向に所定の間隔を持った位置に、当接するように配置されることを特徴とする請求項１または２のいずれかに記載された車両用サンバイザ。
【発明の詳細な説明】
【技術分野】
【０００１】
本発明は、ミラーユニットを備えた車両用サンバイザに関する。
【背景技術】
【０００２】
従来の自動車などの車両に搭載されている車両用サンバイザは、直射日光や対向車のヘッドライトからの幻惑光を遮蔽するサンバイザ本体に、化粧用のミラーを備えて利用者に利便性を供するものが一般的である。一方、車両の使用される環境は、高温となる真夏の日中や、極寒の寒冷地など厳しい条件を想定しなければならない。また、事故等の衝撃から乗員の安全を守る必要がある。
【０００３】
特許文献１には、車両が高熱に曝された時に生じる高熱の雰囲気温度或いは寒冷地の冷気に曝された時に生じる低温の雰囲気温度により生じる化粧用ミラー板の歪みや、ミラーケースの支持手段の破損を確実に防止するミラーユニット付き車両用サンバイザが記載されている。
【０００４】
図１は、従来の車両用サンバイザ１０を示す模式図である。車両用サンバイザ１０は、サンバイザ本体１と、サンバイザを回動自在に支持するノブ３と、シャフト１２の端部に取り付けられて、車両用サンバイザ１０を車両パネルに装着するためのブラケット１１を備えている。サンバイザ本体１の中央部には、ミラーユニットを取り付けるための取付部２が設けられている。
【０００５】
図２は、サンバイザ本体１のＡ−Ａ断面を示す模式図である。ミラーユニットの取付部２には、開閉するカバー５ａを有するミラーユニット５が取り付けられている。ミラーユニット５は、化粧用ミラー板を保持する枠体５ｂと、枠体５ｂに支持された化粧用ミラー６と、回動軸５ｃにより開閉するカバー５ａを有する、所謂バニティミラーである。
【０００６】
ミラーユニットの取付部２の底面には、複数の突起７が配置されている（図１参照）。図２中に示すように突起７の先端は化粧用ミラー６の裏面に当接し、枠体５ｂに支持された化粧用ミラー６をさらに保持する。この構成により、化粧用ミラー６が熱膨張・熱収縮して変形しても、突起７と枠体５ｂの間において滑るように移動し、化粧用ミラー板の歪みやミラーケースの支持手段が破損するのを確実に防止することができる。また、化粧用ミラー６のガタツキや捩じり荷重による歪みを防止することが可能である。
【先行技術文献】
【特許文献】
【０００７】
【特許文献１】特開２０００−３５１３２０号公報
【発明の概要】
【発明が解決しようとする課題】
【０００８】
しかしながら、従来の車両用サンバイザには、事故等により強い衝撃を受け、化粧用ミラーに大きな撓みを生じた場合、また、サンバイザ本体が外力により変形し、化粧用ミラーに大きな応力が加わる場合に、破損を防止する点において不十分であるという問題があった。
【０００９】
そこで、本発明は、上記の問題を鑑みて、サンバイザ本体に加わる衝撃や外力による化粧用ミラーの破損を確実に防止する車両用サンバイザを提供することを目的としている。
【課題を解決するための手段】
【００１０】
上記課題を解決するために、本発明に係る車両用サンバイザは、サンバイザ本体に化粧用ミラーを備える車両用サンバイザであって、化粧用ミラーを保持する枠体を有するミラーユニットと、サンバイザ本体に設けられたミラーユニットを収容する凹部と、凹部の底面に、ミラーユニットの枠体に保持された化粧用ミラーの裏面と対向する位置に設けられ、サンバイザ本体の変形または化粧用ミラーの変位により該化粧用ミラーの裏面に面接触する複数の隆起部と、を備え、複数の隆起部は発泡体樹脂で形成され、サンバイザ本体の長手方向に並列して配置されていることを特徴とする。
【００１１】
本発明によれば、サンバイザ本体が外力を受けて変形した場合や、衝撃を受けた場合などにおいて、ミラーユニットを収容する凹部に配置された隆起部が、化粧用ミラーの裏面と面接触するように設けられている。これにより、化粧用ミラーに加わる応力が分散され、より強い外力や衝撃に耐え、破損を防ぐことができる。また、隆起部が応力を吸収する発泡体樹脂で形成されているため、外力や衝撃を緩和することができる。
【００１２】
また、本発明に係る車両用サンバイザにおいて、隆起部は、化粧用ミラーの裏面との間に所定の隙間を持って配置されていることを特徴とする。これにより、サンバイザ本体にミラーユニットを装着する際に、隆起部が化粧用ミラーに当接し、過剰な力が加わることによる破損を防ぐことができる。
【００１３】
さらに、本発明に係る車両用サンバイザにおいて、隆起部は、化粧用ミラーの端から内側方向に所定の間隔を持った位置に当接するように配置されることを特徴とする。これにより、サンバイザ本体に捩じる応力が加わり、サンバイザ本体が変形するような場合に、化粧用ミラーに加わる力を緩和して破損を防ぐことができる。
【発明の効果】
【００１４】
本発明によれば、サンバイザ本体に加わる衝撃や外力による化粧用ミラーの破損を確実に防止する車両用サンバイザを提供する。
【図面の簡単な説明】
【００１５】
【図１】従来技術に係る車両用サンバイザを示す模式図である。
【図２】従来技術に係るサンバイザ本体のＡ−Ａ断面を示す模式図である。
【図３】本発明に係る車両用サンバイザを示す模式図である。
【図４】本発明に係る車両用サンバイザのＢ−Ｂ断面を示す模式図である。
【図５】本発明に係る車両用サンバイザのＣ−Ｃ断面を示す模式図である。
【図６】本発明に係るサンバイザ本体が、外力により変形する場合の一例を示す模式図である。
【図７】本発明に係る車両用サンバイザの実施態様を示す模式図である。
【図８】本発明の別の実施態様に係る車両用サンバイザのＣ−Ｃ断面を示す模式図である。
【発明を実施するための形態】
【００１６】
以下、本発明に係る好適な実施の形態について、図面を参照しながら詳細に説明する。
【００１７】
図３は、本実施態様に係る車両用サンバイザ２０を示す模式図である。車両用サンバイザ２０は、サンバイザ本体１と、サンバイザを支持するノブ３とシャフト１２で構成されている。また、シャフト１２の端部には、車両パネルに装着するためのブラケット１１が取り付けられている。さらに、車両用サンバイザ２０は、サンバイザ本体１の中央部に、ミラーユニットを取り付けるための凹部であるミラーユニット取付部２を備えている。
【００１８】
図４は、本実施態様に係る車両用サンバイザ２０のＢ−Ｂ断面を示す模式図である。図４は、サンバイザ本体１の中央に設けられたミラーユニット取付部２にミラーユニット５が取り付けられた状態を示している。ミラーユニット５は、化粧用ミラー板を保持する枠体５ｂと、枠体５ｂに支持された化粧用ミラー６と、回動軸５ｃを軸として回動することにより開閉するカバー５ａを有する。さらに、ミラーユニット取付部２の底面には、隆起部８が設けられている。
【００１９】
隆起部８は、ミラーユニット５の枠体５ｂに保持された化粧用ミラー６の裏面との間に隙間Ｈを持って配置されている。本実施例に係る車両用サンバイザが衝撃を受け、化粧用ミラー６に撓みが生じた場合に、隆起部８は化粧用ミラー６の裏面に当接して撓み量を規制する。この際、隆起部８は、化粧用ミラー６の裏面の面接触するように、平らな上面を有している。また、ミラーユニット５をサンバイザ本体１に取り付ける際に、化粧用ミラー６の裏面が隆起部８に接触して破損する場合があるが、隙間Ｈを設定することにより、これを防ぐことができる。
【００２０】
本実施例において、化粧用ミラー６は、ガラス製のミラーであり、隙間Ｈの幅は、０．５ｍｍに設定されている。隙間Ｈの幅は、化粧用ミラー６のサイズおよび材質によって変わる撓み量、さらにミラーユニット５の取り付けの際のサンバイザ本体１の変形量を勘案して設定される。化粧用ミラー６の材質が、軟らかい樹脂などの場合は、破損を生じる撓み量の許容値が大きくなるので、本実施例より広い幅に設定することが可能である。
【００２１】
サンバイザ本体１の芯材は、ポリプロピレン（ＰＰ）ビーズを２０倍に発泡成形して図３に示す形状に成形されたものである。また、サンバイザ本体１の芯材表面は、外観の美観を保持させるために、クロス、または塩ビシート等の表皮材４により被包されている。ミラーユニットの枠体５ｂおよびカバー５ａは、所定形状に成形された樹脂成形体であり、図示しない係合爪によりサンバイザ本体１に固定される。
【００２２】
図５は、サンバイザ本体１のＣ−Ｃ断面（図３参照）を示す模式図である。図中に示す断面においては、ミラーユニット取付部２（図３参照）にミラーユニット５が取り付けられている。本断面に示すミラーユニット５の枠体５ｄは、図中の左右方向への化粧用ミラー６の動きを規制している。複数の隆起部８は、サンバイザ本体１の長手方向に沿って所定の間隔を持って配置され、化粧用ミラー６の裏面に対して隙間Ｈ（図４参照）を持って対向している。本実施例ように幅の狭い複数の隆起部８を所定の間隔をおいて配置した場合には、一体の隆起部として左右方向に幅広く形成して配置する場合に比べて、隆起部８が化粧用ミラー６の裏面に当接した際に潰れ易くなり、化粧用ミラーに加わる力を緩和することができる。これにより、化粧用ミラーの破損を、より確実に防止することができる。
【００２３】
また、図５において、隆起部８は、図中に示す幅Ｗだけ化粧用ミラーの端部から内側に位置する場所において、化粧用ミラー６の裏面に当接するように配置されている。一方、化粧用ミラー６の端部は、枠体５ｄによって左右方向への動きが規制されているだけであるから、隆起部８の当接する位置を内側に設定することにより、図中の上下方向に自由に動きうる状態に保持される。
【００２４】
図６は、サンバイザ本体１が、外力により変形する場合の一例を示す模式図である。図中に矢印で示すような捩じりの応力が加わった場合には、発泡ビーズの成形体からなるサンバイザ本体１の芯材は、応力により容易に変形し、芯材に固定されているミラーユニット５（図示せず）も捩じり方向に歪んでしまうことになる。この際、前述したように、化粧用ミラー６の端部が上下方向に自由に動きうる状態に保持されていれば、サンバイザ本体１を捩じる力が化粧用ミラー６の全体を捩じる応力となることがないので、化粧用ミラー６に加わる応力を緩和することが可能となり破損を防ぐことができる。また、幅Ｗを広くする程、このような捩じりの力を緩和する度合いが大きくなることは明らかである。
【００２５】
本実施例においては、図７に示すように幅Ｗを２０ｍｍとし、幅１０ｍｍおよび２０ｍｍの複数の隆起部８を、図中に示す間隔で配置している。これにより、図中の上下方向の衝撃による荷重、および図６に示すような捩じりの応力がサンバイザ本体１に加えられた場合において、従来の車両用サンバイザに比べて、より大きな衝撃による荷重、また、大きな捩じり応力に対して、化粧用ミラー６の破損を防ぐことができる。
【００２６】
本発明は、上記の発泡ビーズ成形体の芯材からなるサンバイザ本体を有する車両用サンバイザに限定されるものではなく、他の素材を用いる車両用サンバイザにも適用することができる。この場合、サンバイザ本体の構造、芯材の材質により、隆起部のサイズ、および形状、またレイアウトを好適に変更する。
【００２７】
図８は、本発明の別の実施態様に係る車両用サンバイザのＣ−Ｃ断面を示す模式図である。本実施例は、ポリプロピレン樹脂を射出成形した芯材からなるサンバイザ本体１に適用した例である。本実施例に係るサンバイザ本体１においても、ミラーユニット取付部２が設けられている。ミラーユニット取付部２の底面には、ポリエチレン（ＰＥ）フォームまたはチップウレタン等の柔らかい発泡樹脂で成形された隆起部９が貼り付けられている。これにより、化粧用ミラー６の裏面に当接する隆起部９の材質は、前述した実施例と同じとすることができる。したがって、同じように化粧用ミラーの破損を防止することが可能である。
【００２８】
以上、本発明の好ましい実施例について詳述したが、本発明に係る車両用サンバイザは上述した実施例に限定されるものではなく、特許請求の範囲に記載された本発明の要旨の範囲内において、種々の変形、変更が可能である。
【符号の説明】
【００２９】
１      サンバイザ本体
２      ミラーユニット取付部
５      ミラーユニット
５ｂ    枠体
６      化粧用ミラー
８      隆起部
２０    車両用サンバイザ
Ｈ      化粧用ミラーと隆起部の隙間
Ｗ      化粧用ミラー端部と、隆起部の当接位置との幅
【図１】
2010179793.tif 000003
【図２】
2010179793.tif 000004
【図３】
2010179793.tif 000005
【図４】
2010179793.tif 000006
【図５】
2010179793.tif 000007
【図６】
2010179793.tif 000008
【図７】
2010179793.tif 000009
【図８】
2010179793.tif 000010